(57)【特許請求の範囲】
【請求項１】
前枠裏面に二以上のブロックに分割した機構板を開閉動自在に軸着し、夫々のブロックに中継基板や制御装置などの電気的な部品を分散配置したパチンコ機であって、
両端にコネクターを結線してなるリード線を前枠側に形成した配線ガイド部に固定すると共に前記コネクターの夫々を前枠に固定し、
一方、夫々のブロックに分散配置された電気的な部品に前枠に固定した前記コネクターとペアをなすコネクター付きのリード線を取り付け、
前記前枠固定のコネクターに電気的な部品側のコネクターを接続することにより夫々のブロックに分散配置された電気的な部品同士を結線するようにしたことを特徴とするパチンコ機。
【請求項２】
前枠側のコネクターが桟部材に固着されていることを特徴とする請求項１記載のパチンコ機。
【請求項３】
前記桟部材が機構板のヒンジ側に対応するものであることを特徴とする請求項２記載のパチンコ機。
【発明の詳細な説明】
【０００１】
【産業上の利用分野】
本発明は、パチンコ機に関する。
【０００２】
【従来の技術】
パチンコ機は、枠状の外枠と、該外枠の前面に開閉動自在に軸着した前枠と、該前枠の桟部材に着脱自在に嵌合設置した遊技板と、遊技板の裏面に重合し前記桟部材に開閉動自在に軸着した機構板と、から概略構成される。そして、前記機構板には、球タンクと横並びの上コーナー部分に中継基板が、また、下部に制御装置が設置されており、前記中継基板と制御装置がリード線で電気的に接続されている。
【０００３】
【発明が解決しようとする課題】
従来のパチンコ機の機構板は、最上部にある球タンクから、最下部にある球排出樋までの全部品が一体である所謂一枚構造であった。このように機構板が一枚構造である場合には、前記のように中継基板と制御装置が離れた位置にあっても、機構板に配線ガイド部を設けてそこにリード線を通せばよいから前記中継基板と制御装置をリード線で接続することに何の困難性もない。
【０００４】
これに対し、例えば特願平６−１７８２６号に記載されているように機構板を二以上のブロックに分割し、さらに該機構板をブロック単位で開閉動可能にした場合、前記中継基板と制御装置が複数のブロックに分散配置されるとリード線の配線が困難になる。すなわち、一枚構造の機構板と同じ構造で複数ブロックに配線ガイド部を作った場合、全ブロックが閉じているときは問題ないが、ブロック単位で機構板を開いた場合には配線ガイド部がブロックの境界部分でずれるから、リード線が安定的に固定されないのである。
【０００５】
【課題を解決するための手段】
前枠裏面に二以上のブロックに分割した機構板を開閉動自在に軸着し、夫々のブロックに中継基板や制御装置などの電気的な部品を分散配置したパチンコ機であって、両端にコネクターを結線してなるリード線を前枠側に形成した配線ガイド部に固定すると共に前記コネクターの夫々を前枠に固定し、一方、夫々のブロックに分散配置された電気的な部品に前枠に固定した前記コネクターとペアをなすコネクター付きのリード線を取り付け、前記前枠固定のコネクターに電気的な部品側のコネクターを接続することにより夫々のブロックに分散配置された電気的な部品同士を結線するようにしたパチンコ機を提供する。
【０００６】
【作用】
夫々のブロックを一時的に前枠から外す場合は、コネクター同士の接続を解除するのであるが、前枠側のコネクターが固定的であるから、コネクターの抜き差しが片手で簡単に行える。そしてさらに、前枠側のコネクターとリード線が前枠に対して固定的であるため、コネクター同士の接続を解除してもコネクターがぶらついたりリード線が捻れたりしない。
【０００７】
【実施例１】
以下に本発明の実施例１を図１〜図４を参照しつつ説明する。なお、図１は外枠を省略したパチンコ機の分解斜視図、図２はパチンコ機の裏面図、図３は図２のＹ−Ｙ線断面図、図４は図２のＺ−Ｚ線断面図である。
【０００８】
パチンコ機は、外枠１と、該外枠１前面に開閉動自在に軸着した前枠２と、前枠２に着脱自在に嵌合設置した遊技板３と、前枠２の裏側に配設される機構板４と、から概略構成される。前記外枠１は、図２に示すように、長方形の枠形状であって木又は合成樹脂製である。一方、前枠２は、合成樹脂の成型品であって、窓穴５を設けた額縁形状であり、その裏面に窓穴５のほぼ上半部強を囲うように桟部材６が一体に突設されている。窓穴５の残りの下半部には別途形成した合成樹脂製の発射基板７がビス止めされており、該発射基板７も前枠２の一部を構成する。
【０００９】
前記遊技板３は、表面に入賞球受口器やガイドレールなどを有し、裏面に入賞球を集める入賞球カバー８を着脱自在に取り付けてなる。この遊技板３は桟部材６と発射基板７で囲われた部分に前枠２の裏側から着脱し得る。また、桟部材６と遊技板３には指掛け用の凹部９が形成されていて、遊技板３の着脱を容易にしている。なお、遊技板３は、前枠２の表側から着脱するようにした構成であってもよい。
【００１０】
前記機構板４は、球タンク１０、導出樋１１、球放出装置１２、景品球排出樋１３、電気的な部品たる中継基板１４と球放出装置１２などを制御する制御装置１５、などを集約設置した合成樹脂製の部品である。本実施例では機構板４を上ブロック４Ａと下ブロック４Ｂに二分割し、上ブロック４Ａと下ブロック４Ｂを合わせてほぼコ字状になる横空き形態である。そして、機構板４でコ字状に囲われた空間領域Ｓに前記遊技板３の入賞球カバー８が臨む。機構板４の下ブロック４Ｂには入賞球集合樋１６が上向きに開口していて、前記入賞球カバー８から排出される入賞球を全て受け入れる。ここで受け入れられた入賞球は下ブロック４Ｂにある入賞球処理装置（図示せず）に送られて機外に排出される。機構板４は、前記桟部材６との間に介装した三組のヒンジ具Ａ，Ｂ，Ｃで軸着されており、上ブロック４Ａと下ブロック４Ｂが夫々独立して回動し得る。なお、前記中継基板１４は上ブロック４Ａに、また、制御装置１５は下ブロック４Ｂに夫々設置されている。
【００１１】
而して、前記中継基板１４と制御装置１５には、コネクター１７ａ，１７ｂ付きの短いリード線１８ａ，１８ｂが取り付けられている。一方、前枠２の一部である桟部材６の側面と、同じく前枠２の一部である発射基板７の裏面に、前記リード線１８ａ，１８ｂのコネクター１７ａ，１７ｂとペアをなすコネクター１７ｃ，１７ｄが固着されている。そして、そのコネクター１７ｃ，１７ｄ同士をリード線１８ｃで結線すると共に、前記ヒンジ具Ａ，Ｂ，Ｃを設けた桟部材６沿いの前枠２裏面と発射基板７の裏面に、図３，図４に示すように凹溝状の配線ガイド部１９を形成し、該配線ガイド部１９にリード線１８ｃを嵌めて固定する。なお、機構板４の下ブロック４Ｂには発射基板７に設けたコネクター１７ｄに対応する窓通孔２０が穿設されており、該窓通孔２０を介してコネクター１７ｂ，１７ｄ同士が結合する。
【００１２】
本発明のパチンコ機は以上のように構成されているため、機構板４の上ブロック４Ａを回動させるとリード線１８ａが、また、下ブロック４Ｂを回動させるとリード線１８ｂが自然に撓む。従って、コネクター１７ａ〜１７ｄを結合したままブロック単位で機構板４の開閉が可能であり、トラブルで遊技を中断している状態ででもブロック単位で簡単に機構板４を開閉することができる。また、上ブロック４Ａ又は下ブロック４Ｂを一時的に前枠２から外す場合は、コネクター１７ａ又はコネクター１７ｂをコネクター１７ｃ又はコネクター１７ｄから抜き取るのであるが、コネクター１７ｃ又はコネクター１７ｄが前枠２側に固定的であるから、コネクター１７ｃ又はコネクター１７ｄの抜き差しが片手で簡単に行える。そしてさらに、コネクター１７ｃとコネクター１７ｄを結線するリード線１８ｃが前枠２側の配線ガイド部１９に固定されているため、コネクター１７ａ，１７ｂを着脱してもリード線１８ｃがぶらぶらしたり捻れたりすることがない。
【００１３】
なお、上記実施例１は、球放出装置１２などを制御する制御装置１５と中継基板１４の配線構造について例示的に説明し、それ以外の電気的な部品については配線構造を図示しなかったが、例えば、球放出装置１２は上ブロック４Ａ上で中継基板１４に接続され、該中継基板１４を介して制御装置１５に接続されている。もちろん中継基板１４を迂回することなく、実施例１の構造を適用して球放出装置１２と制御装置１５をダイレクトに接続するようにしてもよい。また、遊技内容を制御する遊技用制御装置（図２中符号Ｃ参照）の配線などについても事情は同じである。
【００１４】
【実施例２】
図５は実施例２を示すパチンコ機要部の断面図である。前記実施例１は前枠２を合成樹脂で形成したが、実施例２は前枠２を木製としたものである。このような木製の前枠２には合成樹脂製の桟部材６が木ネジ止めされているから、桟部材６の前枠２との接触面側コーナー部を段状に切り欠いて配線ガイド部１９を形成するのである。なお、配線ガイド部１９にリード線１８ｃの固定を確実にするための突起１９ａを形成しておけばさらによい。
【００１５】
【実施例３】
図６は実施例３を示す配線ガイド部の要部拡大断面図である。前記実施例１，２は配線ガイド部１９を前枠２などの成型時に金型を使って一体成形する構成であるが、この実施例３は、配線ガイド部１９を別部品として形成し、該配線ガイド部１９を、両面テープや接着剤、或いはピンやビス、などの手段で固定するようにしたものである。
【００１６】
以上本発明を実施例１〜３について説明したが、もちろん本発明は上記各実施例に限定されるものではない。例えば、次の(ａ)〜(ｅ)に示すような構成を採用することも可能である。
(ａ)桟部材６の上面に凹溝状の配線ガイド部１９を形成する。
(ｂ)制御装置１５のリード線１８ｂを機構板４の下ブロック４Ｂの側面まで延長し、コネクター１７ｄをコネクター１７ｃと同様に桟部材６の側面に固定する。
(ｃ)実施例１では配線ガイド部１９を図２において右側（機構板４のヒンジ側）に形成したが、配線ガイド部１９を同左側に形成する。この場合は、機構板４を開く前にコネクター１７ａ〜１７ｄの結合を解除する必要がある。
(ｄ)実施例では電気的な部品として制御装置１５と中継基板１４を例示したが、それ以外にも前記した球放出装置１２や遊技用制御装置Ｃ、さらには図示しないが各種センサー、モーター、ソレノイド、ランプ類、表示装置、などが電気的な部品として考えられる。
(ｅ)機構板４を三以上のブロックに分割する。なお、全ブロックを開閉自在にする必要はなく、必要なブロックのみを開閉自在にして残りは前枠２に固定するようにしてもよい。
【００１７】
【発明の効果】
夫々のブロックを一時的に前枠から外す場合は、コネクター同士の接続を解除するのであるが、前枠側のコネクターが固定的であるからコネクターの抜き差しが片手で簡単に行える。そしてさらに、前枠側のコネクターとリード線が前枠に対して固定的であるため、コネクター同士の接続を解除してもコネクターがぶらついたりリード線が捻れたりすることがない。
【図面の簡単な説明】
【図１】  外枠を省略したパチンコ機の分解斜視図である。
【図２】  パチンコ機の裏面図である。
【図３】  図２のＹ−Ｙ線断面図である。
【図４】  図２のＺ−Ｚ線断面図である。
【図５】  実施例２を示すパチンコ機要部の断面図である。
【図６】  実施例３を示すもので、配線ガイド部の要部拡大断面図である。
【符号の説明】
２    …前枠
４    …機構板
４Ａ  …上ブロック
４Ｂ  …下ブロック
１４  …中継基板（電気的な部品）
１５  …制御装置（電気的な部品）
１７ａ〜１７ｄ…コネクター
１８ａ〜１８ｃ…リード線
１９  …配線ガイド部
【図１】
0003636082.tif 000002
【図２】
0003636082.tif 000003
【図３】
0003636082.tif 000004
【図４】
0003636082.tif 000005
【図５】
0003636082.tif 000006
【図６】
0003636082.tif 000007